(57)【特許請求の範囲】
【請求項１】
小便器本体から突出された小便集水箱の底面が安着された地面に埋設され、上部面が開
放され、内部には集水空間が形成され、排水口を有する集水箱と、
前記集水箱の上部面の中で小便器の下端から前側を向けた一部区間を覆い、上部面が外
部に露出された状態で位置され、前記集水空間と外部とを連結する第１通孔が形成されて
いる第１小便流入網と、
前記集水箱の上部面の中で前記第１小便流入網が位置しない区間を覆い、上部面が外部
に露出された状態で位置され、前記集水空間と外部とを連結する第２通孔が形成されてい
る第２小便流入網を含む小便器用衛生装置。
【請求項２】
前記集水箱の内部に設置され、洗浄水が排出される洗浄水排出部をさらに含む請求項１
に記載の小便器用衛生装置。
【請求項３】
前記洗浄水排出部は、
内部に外部の洗浄水が供給され、前記集水箱の内側辺縁に沿って形成されている排出管
及び前記排出管に形成されている排出ノズルを含む請求項２に記載の小便器用衛生装置。
【請求項４】
前記第１小便流入網は前側辺縁が前記小便集水箱の前側下端辺縁と同じ形状及び大きさ
で形成され、
前記小便集水箱の底面が前記第１小便流入網の上部面に安着された状態で前記第１小便
流入網の前側辺縁が前記小便集水箱の下端前側辺縁と上下同一線上に位置されている請求
項１に記載の小便器用衛生装置。
【請求項５】
前記第１小便流入網は、後側辺縁が前記小便集水箱の前側下端辺縁と同じ形状及び大き
さで形成され、前記小便集水箱の前側下端辺縁と上下同一線上に位置された状態で前側を
向けて延長された形態で位置されている請求項１に記載の小便器用衛生装置。
【請求項６】
前記第１小便流入網は前記集水箱に固設され、前記第２小便流入網は前記集水箱の上部
面を開閉可能に設置されている請求項４に記載の小便器用衛生装置。
【請求項７】
前記第１小便流入網の辺縁及び前記第１小便流入網の辺縁と対向する辺縁の中の何れか
一方には結合溝が形成され、他方には前記結合溝に分離可能に締結されている結合部材が
形成されている請求項１〜５の中の何れか一項に記載の小便器用衛生装置。
【発明の詳細な説明】
【技術分野】
【０００１】
本発明は小便器用衛生装置に関するもので、特に、男性用小便器の周辺地面に設置されて排尿の過程で小便器の周辺地面に落ちた小便が収集されて処理されるようにする技術に関するものである。
【背景技術】
【０００２】
一般に、男性用トイレには小便器が別途設置されている。基本的に、使用者が小便器の前に立った状態で小便器の中に小便を排出するが、小便過程と小便後に小便の一部が小便器の下の地面に落ちてその地点が汚染されるという問題点がある。
【０００３】
従って、該地点を随時に掃除しなければならなく、掃除員が随時に待機しなければならないため、人的浪費が多く、掃除作業が煩雑であるという問題点も伴っている。
【０００４】
最近には、このような問題点を解決するための技術として、大韓民国登録実用新案第０３５１０９３号などを提案して、小便器の前方地面上に別途の集水箱形態の装置を設置して、小便器の周辺に落ちる小便が集水されるようにした後、洗浄水とともに排水されるようにすることによって、小便器の周辺地面が汚染されることを防止する技術である。
【０００５】
しかし、従来技術は集水箱が地面上に突出された構造であるため、地面との高さの差により使用者の足がかかって倒れる虞が大きい。
【０００６】
そして、このように外部に突出された構造で、小便器との間隙を無くして、小便の流失を最小化するために、一側が小便器の下端形状に合わせて凹まれた状態で、小便器の該当地点が挟まれた状態で設置される。
【０００７】
しかしながら、小便器の大きさや形状が多様であるため、このように外部に突出された状態で小便器と直接結合される構造では、各小便器の種類によって集水箱の構造を異なるように製作しなければならないため、各小便器との互換性が低下し、製作が難しいという問題点を有する。
【発明の開示】
【発明が解決しようとする課題】
【０００８】
本発明は、上記先行技術の問題点を解決するために提案されたもので、基本的に、使用過程で使用者の足がかかることを防止して、安全事故などを防止することができる小便器用衛生装置を提供することを目的とする。
【０００９】
そして、多様な種類の小便器に全部適用可能にして、設置及び製作が容易な小便器用衛生装置を提供することを目的とする。
【課題を解決するための手段】
【００１０】
このために提案された本発明は、小便器本体から突出された小便集水箱の底面が安着された地面に埋設され、上部面が開放され、内部には集水空間が形成され、排水口を有する集水箱と、上記集水箱の上部面の中で上記小便器の下端から前側を向けた一部区間を覆い、上部面が外部に露出された状態で位置され、上記集水空間と外部とを連結する第１通孔が形成されている第１小便流入網と、上記集水箱の上部面の中で上記第１小便流入網が位置しない区間を覆い、上部面が外部に露出された状態で位置され、上記集水空間と外部とを連結する第２通孔が形成されている第２小便流入網とを含む。
【００１１】
上記集水箱の内部に設置され、洗浄水が排出される洗浄水排出部をさらに含むことができる。
【００１２】
上記洗浄水排出部は、内部に外部の洗浄水が供給され、上記集水箱の内側辺縁に沿って形成されている排出管及び上記排出管に形成されている排出ノズルを含むことができる。
【００１３】
上記第１小便流入網は前側辺縁が上記小便集水箱の前側下端辺縁と同じ形状及び大きさで形成され、上記小便集水箱の底面が上記第１小便流入網の上部面に安着された状態で上記第１小便流入網の前側辺縁が上記小便集水箱の下端前側辺縁と上下同一線上に位置されることができる。
【００１４】
上記第１小便流入網は、後側辺縁が上記小便集水箱の前側下端辺縁と同じ形状及び大きさで形成され、上記小便集水箱の前側下端辺縁と上下同一線上に位置された状態で前側を向けて延長された形態で位置されることができる。
【００１５】
上記第１小便流入網は上記集水箱に固設されることができ、上記第２小便流入網は上記集水箱の上部面を開閉可能に設置されることができる。
【００１６】
上記第１小便流入網の辺縁及び上記第１小便流入網の辺縁と対向する辺縁の中の何れか一方には結合溝が形成され、他方には上記結合溝に分離可能に締結されている結合部材が形成されることができる。
【発明の効果】
【００１７】
このような様々な実施例を有する本発明は、基本的に集水箱が地面に埋設されているので、使用者の足がかかる現象が防止され、それによる安全事故が防止されるという長所を有する。
【００１８】
また、小便が流入される小便流入網が小便器の下端に位置される第１小便流入網及び集水箱を開閉する第２小便流入網に分けて構成され、第１小便流入網が小便器の下端から前側を向けて突出された構造で、小便器の下端が常時第１小便流入網の範囲内に位置されるので、小便器の種類によって構造及び大きさを変更することなく適用可能であるので、設置及び製作が容易であるという長所を有する。
【００１９】
また、第１小便流入網と第２小便流入網が相互結合溝及び結合部材を通じて結合されるので、相互間安定的に結合及び容易に分離することができるという長所を有する。
【図面の簡単な説明】
【００２０】
【図１】本発明の全体分解斜視図である。
【図２】第１小便流入網が設置された状態で第２小便流入網の分離状態を示す斜視図である。
【図３】第１小便流入網と第２小便流入網が集水箱に安着された状態の結合斜視図である。
【図４】本発明の全体設置状態の断面図である。
【図５】図４において小便器の下端前側辺縁と第１小便流入網の後側辺縁が上下同一線上に位置された状態で第１小便流入網が小便器の下端から前側を向けて突出された形態で位置された状態の一部拡大断面図である。
【図６】図５の平面図である。
【図７】小便器の下端が第１小便流入網に安着された状態で小便器の下端前側辺縁と第１小便流入網の前側辺縁が上下同一線上に位置されている状態の一部拡大断面図である。
【図８】図７の平面図である。
【図９】第１小便流入網と第２小便流入網の間の結合構造を示した一部拡大平面図である。
【発明を実施するための形態】
【００２１】
以下、図面に示された実施例を通じて本発明の具体的な構成及び効果を説明する。
【００２２】
参考に、本発明が適用される小便器は、小便器本体１の下端に小便集水箱が前側を向けて突出形成されるが、小便器本体１と小便集水箱２の底面が地面に安着された状態で設置され、上側には洗浄水を供給するための供給配管３が連結された構造で形成される。
【００２３】
このような小便器に適用される本発明の小便器用衛生装置は、図１〜図４に示すように、大体集水箱１００と、洗浄水排出部２００と、小便流入網３００とを含んで構成される。
【００２４】
まず、集水箱１００は小便器の外部に離脱された小便が流入されて集水される部分で、全体的に、上部が開放されたボックス形態で、内部には小便が集水された小便が盛られる収容空間１１０が形成された構造で形成される。
【００２５】
この時、側壁の内部面には後述する小便流入網３００を設置するための段差１１２が形成される。
【００２６】
そして、集水箱１００の収容空間１１０の底中央には小便及び後述する洗浄水を外部へ排出するための排水孔１１４が形成され、この時、集水箱の底面は内側辺縁から排水孔１１４へ行くほど凹まれた構造で形成される。
【００２７】
このような構造によって収容空間の底面に落ちた小便が集水箱の方に誘導されて円滑且つ迅速な排水が可能になる。
【００２８】
このような集水箱は、図４〜図８に示すように、小便器の下端辺縁周辺の地面に埋設され、上端開放面が地面と同一線上に位置された状態で位置されて、収容空間１１０の地面上に露出された状態になる。
【００２９】
そして、集水箱１００の後側辺縁の中間地点は前側を向けて陷沒された形態の凹溝１１６が形成されるが、凹溝１１６は小便器の中で最も小さい小便器の小便集水箱２の外径及び形状と同一に製作される。
【００３０】
このように設置された集水箱１００には洗浄水排出部２００が設置される。
【００３１】
洗浄水排出部２００は集水箱の内部についた小便を洗い出すための洗浄水の排出機能を果たすもので、排出配管２１０が集水箱１００の内側底辺縁に沿って配設され、排出配管２１０には噴射ノズルが間隔を隔てて配列された構造で形成される。
【００３２】
この時、排出配管２１０は小便機の内部に洗浄水を供給する供給配管３と連結されて、小便器に供給される洗浄水の中の一部が排出配管２１０に供給される。
【００３３】
そして、噴射ノズル２２０の噴射孔が集水箱の底中央の排水孔１１４を向けるように位置されて、集水箱の内側辺縁から底面全体を洗い出すことができるようにする。
【００３４】
参考に、排出配管２１０は供給配管３と連結されないで、別途の洗浄水供給構造と連結されることができる。
【００３５】
このように、洗浄水排出部２００まで設置された集水箱１００には小便流入網３００が設置される。
【００３６】
小便流入網３００は小便器から離脱された小便が集水箱に流入される過程で始めて通過し、外部の異物が集水箱１００の中に流入されることを防止する役割を果たすもので、第１小便流入網３１０と第２小便流入網３２０とに分けられて構成される。
【００３７】
その中、第１小便流入網３１０は小便流入網の基本機能、即ち外部異物の流入を防止すると同時に、小便器の種類によって小便器の安着機能を果たすもので、全体的に板材形態で、上部面には複数の第１通孔３１４が下部面まで貫通されており、下部面には支持台３１６が下に向けて突出して形成された構造で形成される。
【００３８】
このような第１小便流入網３１０は後側辺縁が集水箱１００の凹溝１１６を含めた後側辺縁と同じ形状で形成され、集水箱１００の後側辺縁に形成された段差１１２に安着された状態で残り区間は支持台３１６によって支持された状態になって、集水箱の上端後側辺縁から前側を向けた一部区間を覆った状態になる。
【００３９】
この時、第１小便流入網３１０の厚さは集水箱の上端部と段差との間の高さと同一に形成されることによって、第１小便流入網３１０の上部面は地面と同一線上に位置される。
【００４０】
そして、このような第１小便流入網３１０の前側辺縁は小便器の種類の中で最も大きい小便器の小便集水箱辺縁形状と同じ形状で形成される。
【００４１】
即ち、第１小便流入網３１０の後側辺縁は最も小さい小便器の小便集水箱の辺縁と同じ大きさ及び形状で、第１小便流入網３１０の前側辺縁は最も大きい小便器の小便集水箱の辺縁と同じ大きさ及び形状で形成される。
【００４２】
従って、本発明を最も小さい小便器に適用する場合には、図１に示すように、第１小便流入網３１０の後側辺縁が該小便器の小便集水箱の前側辺縁と上下同一線上に位置されるように設置する。
【００４３】
この場合、第１小便流入網３１０は地面上で外部に露出された状態になる。
【００４４】
また、本発明を最も大きい小便器に適用する場合には、図８に示すように、該小便器の小便集水箱２が第１小便流入網３１０の上部面に安着された状態で、小便集水箱２の前側辺縁が第１小便流入網３１０の前側辺縁と同一線上に位置された状態で位置される。
【００４５】
この場合、第１小便流入網３１０は小便集水箱２に覆って外部に露出されない状態になる。
【００４６】
また、図示しないが、本発明を中間大きさの小便器に適用する場合には、該小便器の小便集水箱の底面の一部が第１小便流入網の上部面に安着された状態で第１小便流入網の一部が地面上から外部に露出され状態になる。
【００４７】
このように、本発明は第１小便流入網３１０が集水箱に設置された状態で、該小便器の小便集水箱の底面から前側を向けた一部区間を覆うように位置されることによって、小便器の前側辺縁が小便集水箱の大きさ及び形状に関係なく常時第１小便流入網の面積内に位置するようになる。
【００４８】
従って、本発明は小便器の種類によって第２流入網の構造を変更することなく適用可能になる。
【００４９】
このような第１小便流入網３１０の前側辺縁には後述する第２小便流入網３２０との結合のためのスリット状の結合溝３１２が形成される。
【００５０】
参考に、このような第１小便流入網３１０は、図面のように板材に打孔が形成された構造以外にもメッシュ構造で具現することもできる。
【００５１】
このように、第１小便流入網とともに小便流入網を構成する第２小便流入網３２０は、実質的に集水箱１００の開閉機能及び外部ごみなどの集水箱への流入を遮断するもので、板材形態で、上部面には複数の第２通孔３２４が下端まで貫通して形成された構造で形成される。
【００５２】
このような第２小便流入網３２０は集水箱１００の上部面の中で第１小便流入網３１０が覆っている地点を除いた残り区間の形状及び大きさと同様に形成される。
【００５３】
この状態で、第２小便流入網３２０は集水箱１００の上部面に位置された状態で段差１１２に安着され、後側辺縁が第１小便流入網３１０の前側辺縁と密着された状態になる。
【００５４】
この時、第２小便流入網３２０の後側辺縁には第１小便流入網３１０の結合溝３１２と締結可能な結合部材３２２が突出して形成されている。従って、結合部材３２２が結合溝３１２に摺動可能に挿入されることによって、第２小便流入網３２０と第１小便流入網３１０が相互締結され、また摺動式で分離される。
【００５５】
参考に、第１小便流入網３１０と第２小便流入網３２０との間の締結構造は、相互反対構造に具現されることもできる。即ち、結合溝３１２が第１小便流入網３１０に形成され、結合部材３２２が第２小便流入網３２０に形成されることができる。
【００５６】
このような構造によって、集水箱１００の中で第１小便流入網３１０によって覆われている区間を除いた残り区間は、第２小便流入網３２０を通じて分離したり結合させる方式を通じて開閉される。
【００５７】
このような構造以外に図面には図示しないが、第２小便流入網３２０と段差１１２との間に別途の圧力感知センサーを設置し、小便器の供給配管３には別途の制御バルブを連結させることによって、使用者が第２小便流入網３２０の上に立った時体重を感知して洗浄水を排出させるようにすることもできる。
【００５８】
同時に、別途のタイマーを制御バルブと連結させて洗浄水の排出時間などを制御することができる。
【００５９】
以下では、このような構成による本発明の作用及びその過程で発生される特有な効果を説明する。
【００６０】
まず、図４のような状態で、使用者が用便のために第２小便流入網３２０の上に立つと、体重によって第２小便流入網３２０が下降されながら圧力感知センサーがこれを感知した後制御バルブに作動信号を送信する。
【００６１】
これにより、制御バルブが作動することによって用便過程で洗浄水が供給配管を通じて排出されて小便器本体の内部を洗浄する。
【００６２】
そして、用便過程で小便器本体の外部に離脱された小便は、第１小便流入網３１０または第２小便流入網３２０を通過した後、集水箱１００の内部底に付くようになる。
【００６３】
この過程で、供給配管を通じて供給される洗浄水の一部は排出配管２１０に供給された後、噴射ノズル２２０を通じて排出されて、集水箱１００の内部底面全体についていた小便を洗い出す。
【００６４】
この時、上述したように、集水箱１００の底面が排水孔１１４を向けて下へ凹まれた形態であるので、洗浄水と小便が排水孔１１４に円滑に流入された後、排水配管を通じて外部に排出される。
【００６５】
このような本発明は、設置過程で、該小便器の大きさ規格によって小便集水箱の位置を第１小便流入網３１０の上部面区間内で設定する。
【００６６】
即ち、小便器の大きさに関係なく小便集水箱の位置が常時第１小便流入網の上部面区間内に位置されることによって、全ての種類の小便器に適用が可能である。
【００６７】
以上で説明した本発明の様々な特徴は本技術分野における技術者によって多様に変形及び組合せて実施されることができるが、このような変形及び組合が集水箱を小便器周辺の地面に埋設された状態で設置され、集水箱の小便流入網が小便器本体の下端から前側を向けた方向に形成されることによって、使用者の安全事故を防止し、また、多様な大きさの小便器に適用可能にした構成及び目的と関連がある場合には、本発明の保護範囲に属するものと判断すべきである。
【符号の説明】
【００６８】
１：小便器本体  
２：小便集水箱  
３：供給配管  
１００：集水箱  
１１０：収容空間  
１１２：段差  
１１４：排水孔  
１１６：凹溝  
２００：洗浄水排出部  
２１０：排出配管  
２２０：噴射ノズル  
３００：小便流入網  
３１０：第１小便流入網  
３１２：結合溝  
３１４：第１通孔  
３２０：第２小便流入網  
３２２：結合部材  
３２４：第２通孔  
３１６：支持台
【図１】
0006396282.tif 000002
【図２】
0006396282.tif 000003
【図３】
0006396282.tif 000004
【図４】
0006396282.tif 000005
【図５】
0006396282.tif 000006
【図６】
0006396282.tif 000007
【図７】
0006396282.tif 000008
【図８】
0006396282.tif 000009
【図９】
0006396282.tif 000010